(57)【特許請求の範囲】
【請求項１】
作業場所を覆う開閉自在の仮設屋根であって、
前記作業場所の周囲に設けた屋根支柱と、
前記屋根支柱間に、前記作業場所の上方にそれぞれ傾斜し、かつ平行に取り付けた２本のガイドと、
前記屋根支柱から離して配置され、手摺が設けられた手摺支柱と、
両端部がそれぞれ前記ガイドに沿って前記ガイドの傾斜上端側と傾斜下端側との間を移動自在に取り付けられた複数本の移動梁と、
前記ガイドの傾斜上端側に固定され、かつ前記それぞれの移動梁に取り付けられ、前記移動梁の自重によって前記それぞれの移動梁が前記ガイドに沿って所定の間隔毎に位置した状態で前記作業場所を遮蔽するシート部材と、
複数の前記移動梁のうち最下端側の移動梁に先端が固定され、かつ前記ガイドの傾斜上端側に牽引端部が設けられた牽引部材と、
前記牽引部材に連結され、それぞれの前記移動梁を前記ガイドの傾斜上端側に自重に抗して牽引し、前記シート部材を折り畳むことにより全開状態に駆動する駆動手段とを有し、
前記牽引部材の牽引を解除することにより前記移動梁を自重により前記ガイドの傾斜下端側に向けて自走させ前記シート部材を全閉状態とするようにしたことを特徴とする仮設屋根。
【請求項２】
請求項１記載の仮設屋根において、
前記屋根支柱と、前記手摺支柱とは、同一の敷板を介して設けられていることを特徴とする仮設屋根。
【請求項３】
請求項１または２記載の仮設屋根において、２本の前記ガイドの高さを相互に相違させ、前記シート部材を折り畳んだときに前記シート部材上の雨水を自重により一方の前記ガイド側に案内するようにしたことを特徴とする仮設屋根。
【請求項４】
請求項１または２記載の仮設屋根において、前記移動梁のうち隣接する移動梁を相互に傾斜させ、前記シート部材を折り畳んで形成される弛み部内の雨水を自重により、前記ガイド側に案内するようにしたことを特徴とする仮設屋根。
【請求項５】
請求項１ないし４のいずれか１項に記載の仮設屋根において、それぞれの前記移動梁を相互に摺動自在に嵌合する複数本の管部材により形成し、それぞれの前記移動梁の全長を調整し得るようにしたことを特徴とする仮設屋根。
【発明の詳細な説明】
【０００１】
【発明の属する技術分野】
本発明は、建設現場などの資材置場や開口部などの作業場所の雨避けなどとして使用できる開閉可能な仮設屋根に関し、特に自動的に閉じたり、あるいは屋根による遮蔽面積の変更が容易にできるようにするものである。
【０００２】
【従来の技術】
建築や土木工事の現場では、夏の強い日差しを避けたり、冬期の寒さを防いだり、あるいは突然の雨を避けたりするため、作業場の全体あるいは一部に仮設屋根が設けられている。仮設屋根を設けることにより天候等の影響を少しでも少なくして、安定した環境の下で作業が行える。
【０００３】
例えば、塗装や溶接などの作業やコンクリートの養生などでは、風雨や塵埃などの吹き込みを防止して、施工品質の向上が図れるように仮設屋根が設けられている。
【０００４】
１階の床部分を先に構築して、その後に地下部分の掘削工事や躯体工事を行う逆打工法では、掘削工事や資材の搬入、搬出のために設置されるスラブ開口に、作業場所への雨の侵入を防ぐために仮設屋根が設けられている。
【０００５】
資材置場や資材加工場所の上部にも、不意の雨による資材の濡れや、作業の中断を防ぐために、仮設屋根が設けられている。
【０００６】
資材の搬入口にも、トラックからの荷卸しなどが雨に影響されないように仮設屋根が設けられている。
【０００７】
工事現場の各所で設けられるかかる仮設屋根には、空気膜機構や梁機構などの固定屋根の他に、各種の可動式の屋根がある。可動式の屋根には、例えば、屋根部分が開閉できる方式、屋根自体が水平に移動する方式、あるいは工事の進捗状況に合わせて屋根全体が垂直に移動する方式など種々の構成が提案されている。
【０００８】
【発明が解決しようとする課題】
上記従来の可動式屋根のうち開閉式屋根の多くは、複数の梁部材にシート部材を張って、梁部材をガイドレールに沿って移動させることにより、シート部材を蛇腹状に開閉させる方式のものである。開閉に際しては、電動式ウインチや電動式トロリが使用され、屋根の開閉それぞれに対して作用する装置構成を有するため開閉機構が複雑となり、その分価格も高くなる。
【０００９】
現場の中には電源等が十分にとれない場合も多く、また小規模現場などでは手動で十分な場合も多い。また、簡単な構成で手動により開閉ができる安価な開閉式仮設屋根が求められている。
【００１０】
一方、開閉を手動ウインチなどで行う場合には、開閉の都度手動ウインチのハンドルを回転させて巻き上げたり、あるいは巻き戻したりする必要があり、特に規模の大きな仮設屋根ではかかる手動作業にはかなりの労力を要することとなり大変である。そこで、かかる開閉作業が少しでも楽に行える工夫も必要である。
【００１１】
開閉作業のいずれかの作業で、上記手作業の回避ができれば現場作業は楽になる。本発明者は、屋根部材の開閉のうち緊急性を要するのは、突然の雨などにより屋根を閉じるときであることに着眼して、屋根を自動的に速やかに閉じ状態にできる手段の開発が取り敢えず必要と考えた。
【００１２】
また、従来の仮設屋根は、ガイドレールに沿った方向にはシートの伸縮状態を適宜に調整して屋根の覆い面積を調整することができたが、ガイドレール方向に対して直交する方向での屋根の覆い面積の変更は簡単には行えなかった。種々の施工現場に対応できるようにするためには、かかる点の技術開発も必要と考えた。
【００１３】
また、従来のシート部材を張った仮設屋根では、雨水がテントシート上の弛みに溜まり易い。そのため、開閉方向に沿って前後に傾斜を設け、雨水が流れ落ちるように配慮されたものがある。
【００１４】
しかし、シート部材自体の有する伸縮性は避けようがなく、強いテンションで張ってもどうしても多少の弛みが発生し、弛み部に雨水が溜まるのは避けられない。弛みを一切発生させないように相当なテンションでシート部材を張ることも考えられるが、シート部材や梁部材などに従来にはない強度が要求され、部材そのものの強度見直しが必要となり、現在入手し得る部材の使用を前提とした現実的な解決手段とはなりにくい。
【００１５】
また、シート部材を蛇腹状に縮めた状態で雨水が溜まった場合には、それと知らずにシート部材を伸ばして屋根を仮設すれば、溜まっていた雨水が一気に流れて、作業者や資材にかかるなどの不都合が発生する場合もある。仮設屋根は屋外の工事現場などで使用されるため、かかる点の解消も現場からは強く求められている。
【００１６】
本発明の目的は、開閉式仮設屋根で、屋根の閉じ状態が自動的にできるようにすることにある。
【００１７】
本発明の他の目的は、開閉式仮設屋根で、屋根の開閉方向に直交する方向に対しての屋根の覆い面積の変更が容易にできるようにすることにある。
【００１８】
本発明の他の目的は、開閉式仮設屋根で、屋根の雨水が流れやすいようにすることにある。
【００１９】
本発明の前記ならびにその他の目的と新規な特徴は、本明細書の記述および添付図面から明らかになるであろう。
【００２０】
【課題を解決するための手段】
本願において開示される発明のうち、代表的なものの概要を簡単に説明すれば、以下のとおりである。
【００２１】
すなわち、本発明では、作業場所の周囲に、所定間隔で屋根支柱を設け、この屋根支柱間に２本のガイドをそれぞれ傾斜させて互いに平行になるように設ける。この屋根支柱から外側に離して、手摺支柱を設け、この手摺支柱間に手摺を掛け渡して人が内側に入らないようにする。
【００２２】
特に、屋根支柱と手摺支柱とを、同一の敷板を介して立てるようにすれば、屋根支柱と手摺支柱との敷板を別々に設ける場合に比べて仮設時の柱立設作業の手間が省ける。かかる敷板の共通化により、手摺柱間隔と屋根支柱間隔とは、いずれか一方の間隔を決めると自然に他方の間隔も機械的に決まるので、両者別個に間隔を決める場合に比べて柱間隔の設定が容易に行える。
【００２３】
上記屋根支柱間に設けた２本のガイドの間には、シート部材を張った複数本の移動梁を、ガイドの傾斜上端側と傾斜下端側との間を自在に移動できるように設ける。複数本の移動梁のうち端の一本は、前記ガイドの傾斜上端側に固定し、その他の移動梁は自重によって傾斜下端側に自走できるように設けておく。
【００２４】
複数本の移動梁のうち最下端側の移動梁に、ガイドの傾斜上端側に牽引端部を設けた牽引ロープなどの牽引部材の先端を固定し、この牽引部材を駆動手段で牽引できるようにする。それぞれの前記移動梁を前記ガイドの傾斜上端側に自重に抗して牽引し、前記シート部材を折り畳むことにより仮設屋根を全開状態にできる。
【００２５】
牽引部材の牽引を解除すれば、移動梁は自重により前記ガイドの傾斜下端側に向けて自走し、前記シート部材が展開して全閉状態となる。
【００２６】
特に、牽引部材は、例えばシート部材のシート面を傾斜下端側から傾斜上端側に横断するように設ければ、移動梁の両端側に牽引部材を設けて駆動手段で牽引させる場合に比べて、牽引部材の長さを短くすることができる。
【００２７】
また、牽引部材を駆動手段で傾斜上端側に牽引することによりシート部材の開口が行えるため、開口時には牽引部材が開口部を横切らずに済み、クレーンなどで資材を上方から搬入するときの妨げとならない。牽引部材の牽引度合いを調整することにより、シート部材の開口度合いの調整が行える。
【００２８】
移動梁を、摺動自在に嵌合する管部材に構成しておけば、嵌合度合いの調整により移動梁の長さを調整することができ、移動梁に合わせたシート部材を張ることにより、仮設する作業場所に合わせて屋根幅の調整が容易にできる。
【００２９】
ガイドも管部材で構成し、管部材の嵌合度合いの調整によりガイド長さの調整を行えるようにすればよい。現場状況に合わせて、ガイド長さを調整することができ便利である。
【００３０】
また、傾斜して設けた２本のガイドの高さを相違させておけば、上記要領で２本のガイド間に設けたシート部材の屋根面は、屋根面の平面に沿った直交２軸方向にそれぞれ傾斜面となる。シート部材には、ガイド方向とは直交方向にも傾斜させられるのでシート部材面からの雨水が流れやすくなる。
【００３１】
ガイド方向に傾斜させただけでは、どうしても移動梁間に張ったシート部材部分には弛み部が形成され、そこに雨水が溜まり易くなるが、上記のように構成することによりかかる雨水の溜まりを防止することができる。
【００３２】
あるいは、シート部材を構成するに際して、隣接する移動梁を相互に傾斜させて（移動梁同士が互いに平行とならないようにして）シート部材を張っておけば、移動梁間のシート部材の弛み部はガイド方向と交差する方向に傾斜させられるので、雨水を溜まらないようにすることができる。
【００３３】
すなわち、隣接する移動梁が互いに傾斜させられた状態でシート部材を張っておくと、移動梁の両端側間ではシート部材の張り長さが異なることとなり、張り長さの長い方が、もう一方の側の張り長さの短い方よりもシート部材の弛み部が深く構成され、雨水が流れる程度に弛み部が傾斜するのである。
【００３５】
【発明の実施の形態】
以下、本発明の実施の形態を図面に基づいて詳細に説明する。
【００３６】
（実施の形態１）
図１は、本発明の仮設屋根を作業場所Ｚを覆うように設けた状況を示す斜視図である。図２は、図１の仮設屋根の正面図である。作業場所Ｚとしては、地下工事における地上側に設けた矩形開口の資材搬入口、あるいは資材置場など種々の場所を想定することができる。
【００３７】
作業場所Ｚの矩形開口部の両側には、図１に示すように、それぞれ一定間隔ずつ離されて複数本の屋根支柱１が、敷板２を介して立てられている。屋根支柱１の外側には、図２に示すように、屋根支柱１から外側に離して同一の敷板２上に手摺支柱３が立てられている。手摺支柱３間には手摺４が掛け渡され、作業場所Ｚ内への人の入り込みを防止している。
【００３８】
上記屋根支柱１には、鋼管などを使用すればよい。屋根支柱１間には、２本のガイド５が斜め平行になるように、クランプ６により取り付け固定されている。屋根支柱１間には、強度確保のために水平方向に補強用桁部材７がクランプ８を使用して掛け渡されている。
【００３９】
上記手摺４や補強用桁部材７は、二重筒状に構成して、現場状況に応じて適宜長さ変更ができるようになっている。なお、予め一定長さに規格化した定尺状に構成しておき、必要の都度適宜長さのものを選択して使用するようにしてもよい。
【００４０】
２本の上記ガイド５間には、ガイド５に沿って移動可能な移動梁９が複数本渡されている。移動梁９は、図３に示すように、鋼管などの管部材を使用した外筒９ａと、この外筒９ａに内挿される内筒９ｂとから構成されている。外筒９ａにはボルト挿通孔１０ａが設けられ、内筒９ｂには筒方向に沿って一定間隔で複数のボルト挿通孔１０ｂが設けられている。
【００４１】
外筒９ａと内筒９ｂとを必要長さ差し込んで、両ボルト挿通孔１０ａ、１０ｂの位置合わせをした状態でボルト１１を挿通することにより、移動梁９を必要な長さに調整することができる。挿通させたボルト１１の抜け防止は、ボルト１１の先端側をナット１２で締めて行う。
【００４２】
複数本の移動梁９の長さを、２本のガイド５間の巾に合わせて調整し、それぞれの移動梁９を所定間隔平行にした状態で、図１に示すように、テント用シートなどのシート部材１３が張られて伸縮自在の屋根Ａが形成されている。
【００４３】
シート部材１３を移動梁９に張るに際しては、例えば、シート部材１３に移動梁９の挿通可能な筒部を所定間隔で設けておき、それぞれの筒部に移動梁９を通して行えばよい。
【００４４】
移動梁９の両端側には、係止孔１４ａをあけた係止部材１４が設けられ、図４に示すように、ガイド５に設けたローラ１６側に係止させることができるようになっている。
【００４５】
ガイド５は、図５に示すように、断面が下側開口の略コ字型の長尺状型鋼に形成されている。ガイド５の底面側は、中央にガイド５の長手方向に沿って直線状に開口部１５が形成されるように、左右からフランジ部５ａが張り出されている。
【００４６】
ガイド５の略コ字型空間内には、この左右から張り出したフランジ５ａ上にローラ１６が載せられ、傾斜して設けられたガイド５に案内されて自然に傾斜下端側に向けて自走できるようになっている。ガイド５の両端側は、ローラ１６が外れないように端面を塞いで、ローラ止めを行う。
【００４７】
ローラ１６は、図４に示すように、前後に一対ずつ合計４個設けられ、これら４個のローラ１６の支持部１６ａの中央部分から板状の係止部材１７が下方に向けて設けられている。この係止部材１７には、係止孔１７ａが開けられている。
【００４８】
前記移動梁９をガイド５に移動可能に設けるには、移動梁９の両端側に設けた係止部材１４の係止孔１４ａと、上記ローラ１６に設けた係止部材１７の係止孔１７ａとを、図４に示すように、フック部材１８で着脱自在に連結することにより行う。
【００４９】
シート部材１３を張った複数本の移動梁９のうち、端の一本はガイド５の傾斜上端側に移動できないように取付けられる。ガイド５の一端側に固定した係止部材１９の係止孔（図示せず）に、フック部材１８を介して係止させておけばよい。他の移動梁９は、上記のように、ガイド５に案内されて移動するローラ１６側に、係止部材１４、１７、フック部材１８を介して係止させておく。
【００５０】
このようにして形成された屋根Ａには、傾斜下端側にある移動梁９をガイド５に沿って引上げることができるように駆動手段２０が設けられている。
【００５１】
駆動手段２０は、図６に示すように、傾斜上端側に取り付けた移動梁９に設けた滑車２１、屋根支柱１（図中省略）に設けた滑車２２とを経由して、屋根支柱１に設けた巻上ハンドル２３で牽引部材２４を手動で巻き上げることができるように構成されている。牽引部材２４（図１中、分かり易いように破線表示とした）には、例えば、ワイヤーロープなどの牽引ロープを使用すればよい。
【００５２】
牽引部材２４は、その先端側がガイド５の傾斜下端側の移動梁９に固定され、他端側は、傾斜上端側の移動梁９の滑車２１を牽引端部として経由して、巻上ハンドル２３の回転軸２３ａに巻き付けられている。
【００５３】
滑車２１には、牽引部材２４の張出し方向に向けて筒状のガイド２１ａが設けられている。牽引部材２４はこのガイド２１ａを通して滑車２１に掛けられ、屋根Ａの開閉作業中に外れないようになっている。
【００５４】
巻上ハンドル２３を巻き上げることにより、牽引部材２４が巻上ハンドル２３の回転軸２３ａに巻き付けられ、傾斜下端側の移動梁９がガイド５に沿って傾斜上端側に引き上げられ、屋根Ａが開口されることとなる。牽引部材２４を屋根Ａの移動梁９が傾斜下端側に自走しようとするのに抗して、限度まで巻き上げることにより、屋根Ａを全開状態にすることができる。
【００５５】
牽引部材２４をガイド５の傾斜上端側に牽引して屋根Ａを開口状態にしたときには、開口部を牽引部材２４が横切ることなく退避状態にさせられるため、開口部からのクレーンによる資材の搬入、あるいは搬出が牽引部材２４により邪魔されることなく楽に行える。
【００５６】
巻上ハンドル２３には、ストッパ機構を設けておき所望の開口度に合わせた巻上状態で巻上ハンドル２３の固定ができるようにしておけばよい。巻上ハンドル２３の固定を解除すれば、再度巻上を継続することができる。あるいは、そのまま解除状態に放置すれば、移動梁９はガイド５に沿って傾斜下端側に自走し、屋根Ａが自然に展開して全閉状態となる。
【００５７】
図７に、上記構成の仮設屋根を全開状態にした場合と、全閉状態にした場合、およびその中間状態にした場合について示した。
【００５８】
また、上記説明では、１本のガイド５を支持するのに複数本の屋根支柱１を設ける構成を示したが、図８（ａ）に示すように、ガイド２０の差し渡し長さがそれ程長くない場合には、中間の屋根支柱１を省く構成でもよい。さらに、図８（ａ）の構成では、ガイド５の両端側の屋根支柱１の高さを変えてあり、両屋根支柱１の上端間にガイド５を掛け渡すことができるようになっている。
【００５９】
ガイド５の差し渡し方向が長い場合には、図８（ｂ）に示すように、トラス２５を屋根支柱１間に設け、このトラス２５の下方にガイド５を沿うように設けても構わない。この場合にも中間の屋根支柱１は不要となる。
【００６０】
なお、図７、８では、図が分かりやすいように、仮設屋根の周囲に設ける手摺の構成は示していない。
【００６１】
上記説明では、滑車２１、２２を介して、屋根支柱１側に設けた巻上ハンドル２３で牽引部材２４の巻上げを行うように構成したが、ガイド５の傾斜上端側の移動梁９に巻上げハンドル２３などの巻上機構を直接設けるようにしてもよい。
【００６２】
（実施の形態２）
本実施の形態の仮設屋根では、作業場所Ｚの両側に、前記実施の形態１と同様に、屋根支柱１、手摺支柱３が同一敷板２上に起立させられている。図９では、４隅に設けたガイド取り付け用の屋根支柱１を、以下の説明が分かりやすいように、屋根支柱１ａ（１）、１ｂ（１）、１ｃ（１）、１ｄ（１）として示している。
【００６３】
屋根支柱１ａ、１ｂ間には、クランプ６を介してガイド５が傾斜させて設けられている。屋根支柱１ｃ、１ｄ間にも、クランプ６を介して、ガイド５が傾斜させて設けられている。２本のガイド５は、互いに高さが違えられて段違い平行になるように設けられている。そのため、移動梁９も、２本のガイド５の間に斜めに渡されることとなる。
【００６４】
複数の移動梁９には、上記実施の形態１と同様に、シート部材１３が張られて、屋根Ａが形成されている。シート部材１３の移動梁９への張り付けも上記実施の形態１と同様にして行えばよい。
【００６５】
このようにして２本のガイド５間に設けられた屋根Ａは、図６に示したと同様の駆動手段２０により自在に開閉が行えるようになっている。すなわち、巻上ハンドル２３で牽引部材２４を巻き上げることにより、全開状態にしたり、あるいは、移動梁９を自重によってガイド５に沿って傾斜下端側に自走させることにより自然展開して屋根Ａを全閉状態にすることができる。
【００６６】
このようにして構成された本実施の形態の仮設屋根では、上記実施の形態１の仮設屋根とは異なり、屋根Ａ面が展開方向に対して直交方向にも傾斜させられており、この傾斜方向に屋根Ａに降った雨は流れ、移動梁９間のシート部材１３の弛み部に雨水が溜まらず仮設屋根の水捌けがよい。
【００６７】
（実施の形態３）
本実施の形態の仮設屋根では、図１０に示すように、移動梁９が互いに傾斜させられた状態（すなわち、隣接する移動梁９同士が平行とならない状態）で、シート部材１３が張られて屋根Ａが形成されている。
【００６８】
ガイド５の傾斜上端側、傾斜下端側の移動梁９は互いに平行にされているが、中間の複数本の移動梁９が互いに平行にならないように傾斜させられている。そのため、中間の移動梁９間では、ガイド５側のシート部材１３の張り長さは、長短が繰り返され、シート部材１３の相対する両側の側縁部の長さは長短が逆になっている。
【００６９】
屋根Ａの開閉に使用される駆動手段２０も、前記実施の形態１と同様に構成され、牽引部材２４を巻上ハンドル２３で巻き上げることにより屋根Ａを開口状態にすることができる。移動梁９を自重に任せて、ガイド５に沿って傾斜下端側に移動させれば、屋根Ａを全閉状態にすることができる。
【００７０】
駆動手段２０で、移動梁９を傾斜上端側に移動させて屋根Ａを開口状態にすると、図１０に示すように、隣接する移動梁９の間では、シート部材１３の弛みが発生する。弛み部２６は、シート部材１３の張り長さが長い方が、張り長さの短い方に比べて深く弛むこととなる。そこで、弛み部２６の谷部分を結んでなる谷線２７が傾斜し、この谷線２７に沿って弛み部２６に降った雨水は流れることとなる。
【００７１】
そのため、上記実施の形態２とは異なり、２本のガイド５間を段違い平行にすることなく、同一高さで平行にした構成でも、屋根Ａを少し閉じ加減にすることにより傾斜した谷線２７を弛み部２６に形成して、積極的に屋根Ａに降った雨水を溜まらないように流すことができる。
【００７２】
また、閉じ加減にしない場合でも、すなわち屋根Ａが全閉状態にあるときでも、シート部材１３へ降った雨水によりどうしても移動梁９間には多少の弛みが発生し、かかる多少の弛みでも上記同様に谷線２７は傾斜するので、雨水の水捌けが良好に維持される。
【００７３】
また、上記のように屋根Ａの移動梁９間にできる弛み部２６の谷線２７は、傾斜方向が左右に交互に形成されるため、屋根Ａに降ったた雨水も、それに合わせて、屋根Ａの左右に振り分けて流されることとなる。そのため、例えば仮設屋根の一方の地上側にのみ雨水が溜まるという心配がない。
【００７４】
本発明は上記の実施の形態に限定されるものではなく、その要旨を逸脱しない範囲で種々変更してもよい。
【００７５】
例えば、上記実施の形態では、手摺支柱３間には手摺４を横方向に掛け渡す構成を示したが、さらに手摺支柱３と手摺４とで形成される矩形枠状部分にネットを張るようにしてもよい。あるいは、手摺４を掛け渡さずに、手摺支柱３間にネットを張るようにしてもよい。
【００７６】
前記実施の形態では、２本のガイド５を傾斜させた場合について説明したが、水平方向に平行に設けてもよい。シート部材１３は、前記実施の形態と同様に複数本の移動梁９に張られ、牽引部材２４の巻上げにより全開状態にできるようになっている。牽引部材２４の巻戻しにより、シート部材１３は全閉状態となる。
【００７７】
あるいは、牽引部材２４の先端が固定された移動梁９の両端側を、ガイド５に沿って牽引部材２４の巻上げ方向とは逆方向に、例えばばねなどで引っ張り付勢をつけるようにしてもよい。ばねの付勢に抗して牽引部材２４を巻上げて屋根１３を全開状態にしたり、あるいは巻き上げを解除してばねの付勢によりシート部材１３が引っ張られて全閉状態に展開されるようにしてもよい。
【００７８】
上記の如く水平方向に平行に設けたガイド５は、前記実施の形態２と同様に段違い平行に設けてもよい。さらに、ガイド５間に設ける移動梁９は、前記実施の形態３と同様に、隣接する移動梁９同士を互いに傾斜させるように設けてもよい。
【００７９】
【発明の効果】
本発明では、傾斜させたガイドにシート部材を自走できるように設けてあるので、仮設屋根を自然に閉じ状態にすることができる。
【００８０】
移動梁の長さの調整をして、現場の施工状況に合わせた仮設屋根幅の変更が容易にできる。
【００８１】
ガイドの傾斜上端側の駆動手段と、シート部材の傾斜下端側の移動梁とが牽引部材で繋げられているため、シート部材の開口時には、開口部を牽引部材が横切らずに済み、開口部上方からの資材の搬入・搬出が行い易い。
【００８２】
シート部材の隣接する移動梁が互いに平行とならないように傾斜させて設けられているので、シート部材の弛み部には傾斜ができ、シート部材面からの雨水を流れやすくできる。
【００８３】
２本のガイドの高さが違えて設けられているので、２本のガイド間に設けたシート部材面がガイド間に傾斜させられこととなり、シート部材面からの雨水が流れやすい。
【００８４】
屋根支柱と手摺支柱との敷板を共通化することにより、屋根支柱と手摺支柱とを別々に設ける場合に比べて、起立作業の手間が省ける。
【００８５】
屋根支柱と手摺支柱とは、敷板を共通化させることにより、いずれか一方の間隔を決めると自然に他方の間隔も機械的に決まるので、両者別個に間隔を決める場合に比べて柱間隔の設定が容易に行え、仮設屋根の構築時に合わせた手摺の形成が行い易い。
【図面の簡単な説明】
【図１】本発明の一実施の形態の仮設屋根の斜視図である。
【図２】仮設屋根の正面図である。
【図３】移動梁の長さ調整可能な構造を示す断面図である。
【図４】移動梁をガイドに取り付ける構成を示す部分斜視図である。
【図５】ガイド内に移動可能に設けたローラの取付け状況を示す断面図である。
【図６】駆動手段の構成を示す説明図である。
【図７】（ａ）は、屋根Ａを全開状態にした状態を示す側面図である。（ｂ）は、屋根Ａを途中まで閉めた状態を示す側面図である。（ｃ）は、屋根Ａを全閉状態にした状態を示す側面図である。
【図８】（ａ）、（ｂ）は、中間の支柱を不要とした仮設屋根の構成を示す側面図である。
【図９】２本のガイドの高さが違えて設けられた構成の仮設屋根を示す斜視図である。
【図１０】隣接する移動梁を互いに平行にならないように傾斜させた構成の仮設屋根を示す斜視図である。
【符号の説明】
１        屋根支柱
２        敷板
３        手摺支柱
４        手摺
５        ガイド
５ａ      フランジ部
６        クランプ
７        補強用桁部材
８        クランプ
９        移動梁
９ａ      外筒
９ｂ      内筒
１０ａ    ボルト挿通孔
１０ｂ    ボルト挿通孔
１１      ボルト
１２      ナット
１３      シート部材
１４      係止部材
１４ａ    係止孔
１５      開口部
１６      ローラ
１６ａ    支持部
１７      係止部材
１７ａ    係止孔
１８      フック部材
１９      係止部材
２０      駆動手段
２１      滑車
２２      滑車
２３      巻上ハンドル
２３ａ    回転軸
２４      牽引部材
２５      トラス
２６      弛み部
２７      谷線
Ａ        屋根
Ｚ        作業場所
【図１】
0004108854.tif 000002
【図２】
0004108854.tif 000003
【図３】
0004108854.tif 000004
【図４】
0004108854.tif 000005
【図５】
0004108854.tif 000006
【図６】
0004108854.tif 000007
【図７】
0004108854.tif 000008
【図８】
0004108854.tif 000009
【図９】
0004108854.tif 000010
【図１０】
0004108854.tif 000011